(57)【要約】【課題】ガラス扉へのヒンジ機構の配設作業が容易で，スプリングがスライド操作の障害にならず，スライドヒンジピンのスライド操作が容易で，ガラス扉の着脱が容易な遊技機を提供すること。【解決手段】パチンコ遊技機１は，前枠２，ガラス扉３及びヒンジ機構４を有しており，ヒンジ機構４は，固定板５，スライドヒンジピン６及びスプリング７を有している。固定板５は，スライドヒンジピン６の操作部６２を通過させるためのピン通過穴５１と，スライドヒンジピン６を取付位置６０１と着脱位置６０２との間でスライド可能にするためのスライド穴５２とを有している。スライドヒンジピン６は，固定板５の裏面側５０２に配設したスプリング７によって取付位置６０１に付勢されている。取付位置６０１では，操作部６２は，スライド穴５２の内壁５２１を操作部６２の回動軌跡Ｘの領域内に設けたことで，固定板５の裏面側５０２に回動することが規制されている。【選択図】  図１
2005000379.tif 000002
【特許請求の範囲】
【請求項１】
枠体と，該枠体に対してヒンジ機構を介して開閉可能に取り付けてなる開閉扉とを有してなる遊技機において，
上記ヒンジ機構は，上記開閉扉に固定した固定板と，該固定板における上記開閉扉に対面する側である裏面側に配設したヒンジピンとを有してなり，
上記ヒンジピンは，上記開閉扉が開閉する際の開閉支点となる軸部と，該軸部から突出形成した操作部とを有していると共に，上記軸部の軸方向において，上記枠体に対して上記開閉扉を開閉可能に取り付けるための取付位置と，上記枠体に対して上記開閉扉を着脱可能にするための着脱位置との間でスライド可能であり，
上記固定板は，その上記裏面側で上記ヒンジピンを組み付けた後に，上記操作部を上記軸部を中心に回動させて上記裏面側からその反対の表面側へと通過させるためのピン通過穴と，該ピン通過穴に連通形成し，上記操作部を上記表面側に配置した状態で，上記ヒンジピンを上記取付位置と上記着脱位置との間でスライド可能にするためのスライド穴とを有しており，
上記ヒンジピンは，上記固定板の裏面側に配設した付勢手段によって上記取付位置に付勢されており，該取付位置においては，上記操作部は，上記スライド穴の内壁を上記操作部の回動軌跡領域内に設けたことにより，上記固定板の裏面側に回動することが規制されていることを特徴とする遊技機。
【請求項２】
請求項１において，上記固定板の裏面側には，上記ヒンジピンの上記軸部を支持するための一対の支持部が立設形成されており，上記付勢手段はスプリングで構成し，該スプリングは，上記一対の支持部の間に配置されており，当該スプリングの内周側には上記軸部が挿通されていることを特徴とする遊技機。
【請求項３】
請求項１又は２において，上記スライド穴には，上記取付位置にある上記ヒンジピンの上記操作部を挿通させて，当該ヒンジピンが上記着脱位置にスライドすることを防止するスライド防止穴が連通形成されていることを特徴とする遊技機。
【請求項４】
請求項３において，上記枠体には，該枠体に対して上記開閉扉を閉じた際に，上記取付位置にある上記ヒンジピンの上記操作部が上記スライド防止穴から上記スライド穴に回動することを防止する回動防止部が形成されていることを特徴とする遊技機。
【請求項５】
請求項１〜４のいずれか一項において，上記枠体は上記遊技機における外枠の前面側に配設した前枠であり，上記開閉扉は上記前枠の前面側に開閉可能に配設したガラス扉であることを特徴とする遊技機。
【発明の詳細な説明】
【０００１】
【技術分野】
本発明は，パチンコ遊技機又はアレンジボール遊技機等の遊技機に関し，特に枠体に対して開閉扉を開閉可能に配設するためのヒンジピンの取付構造に関する。
【０００２】
【従来技術】
例えば，パチンコ遊技機においては，遊技領域を備えた遊技盤を配設した前枠（機枠）の前面側にガラス扉（表枠）を，ヒンジ機構を介して開閉及び着脱可能に取り付けてなる。上記ヒンジ機構は，ガラス扉に配設したブラケットにヒンジピン（枢軸）をスライド可能に配設してなり，ヒンジピンの先端部がガラス扉の上方へ突出した状態で，ガラス扉を前枠に取り付けている。また，この取付状態においては，バネ（付勢手段）により，ヒンジピンがガラス扉の上方へ突出する方向に付勢されている。
そして，上記ヒンジピンを，下方に上記バネの付勢力に抗してスライドさせて，その先端部をガラス扉内へと引っ込めることによって，上記ガラス扉を前枠との間で着脱することができる。
【０００３】
このようなパチンコ遊技機としては，例えば，特許文献１に示すものがある。この特許文献１においては，バネの一端をブラケットに支持させると共に，バネの他端を枢軸に形成した撮みに支持させ，枢軸の先端部を表枠から突出させて，この表枠を機枠に取り付けている。また，特許文献１においては，ブラケットの裏面側に配設した枢軸の撮みを，ブラケットに形成した侵入口を介してブラケットの表面側に配置させ，その後，バネによりヒンジピンを引っ張ることによって，撮みが上記侵入口から外れないようになっている。
さらに，特許文献１においては，表枠の機枠への取付性を改善するために，ブラケットにＬ字溝を形成し，撮みをＬ字溝の水平溝に挿通させることにより，上記枢軸の先端部が表枠内に没入した状態を保持できるようになっている。
【０００４】
【特許文献１】
特開２００１−１６１９９４号公報（図４〜図７等）
【０００５】
【解決しようとする課題】
しかしながら，特許文献１においては，上記バネは，その他端が上記枢軸の撮みに支持されていることにより，上記ブラケットの表面側に配設されている。そのため，作業者が上記撮みを操作してヒンジピンの先端部を表枠内へと引っ込める際には，バネがこの操作の障害になるおそれがある。
【０００６】
本発明は，かかる従来の問題点に鑑みてなされたもので，開閉扉へのヒンジ機構の配設作業が容易で，付勢手段がスライド操作の障害にならず，ヒンジピンのスライド操作が容易で，開閉扉の着脱が容易な遊技機を提供しようとするものである。
【０００７】
【課題の解決手段】
本発明は，枠体と，該枠体に対してヒンジ機構を介して開閉可能に取り付けてなる開閉扉とを有してなる遊技機において，
上記ヒンジ機構は，上記開閉扉に固定した固定板と，該固定板における上記開閉扉に対面する側である裏面側に配設したヒンジピンとを有してなり，
上記ヒンジピンは，上記開閉扉が開閉する際の開閉支点となる軸部と，該軸部から突出形成した操作部とを有していると共に，上記軸部の軸方向において，上記枠体に対して上記開閉扉を開閉可能に取り付けるための取付位置と，上記枠体に対して上記開閉扉を着脱可能にするための着脱位置との間でスライド可能であり，
上記固定板は，その上記裏面側で上記ヒンジピンを組み付けた後に，上記操作部を上記軸部を中心に回動させて上記裏面側からその反対の表面側へと通過させるためのピン通過穴と，該ピン通過穴に連通形成し，上記操作部を上記表面側に配置した状態で，上記ヒンジピンを上記取付位置と上記着脱位置との間でスライド可能にするためのスライド穴とを有しており，
上記ヒンジピンは，上記固定板の裏面側に配設した付勢手段によって上記取付位置に付勢されており，該取付位置においては，上記操作部は，上記スライド穴の内壁を上記操作部の回動軌跡領域内に設けたことにより，上記固定板の裏面側に回動することが規制されていることを特徴とする遊技機にある（請求項１）。
【０００８】
本発明においては，上記固定板に上記ヒンジピン及び付勢手段を設けてなるヒンジ機構によって，上記開閉扉を上記枠体に開閉及び着脱可能に取り付けている。
そして，ヒンジピン及び付勢手段を固定板に配設する際には，まず，ヒンジピン及び付勢手段を固定板の裏面側において組み付ける。その後，ヒンジピンの操作部を，上記軸部を中心に回動させて固定板のピン通過穴を通過させることにより，この操作部をスライド穴内に挿通させると共に固定板の表面側に配置させることができる。そのため，固定板へのヒンジピン及び付勢手段の配設が容易であり，ヒンジ機構を容易に形成することができる。
【０００９】
また，開閉扉にヒンジ機構を配設する際には，ヒンジピンの操作部がスライド穴の内壁に当接することによって，この操作部が意図せず固定板の裏面側に回動することを防止することができる。そのため，このヒンジ機構の配設が容易である。
【００１０】
そして，上記開閉扉を上記枠体に取り付けた際には，上記ヒンジピンが上記取付位置に位置して開閉扉が開閉可能な取付状態を形成する。このとき，ヒンジピンは，付勢手段によって上記取付位置に付勢されており，上記取付状態を容易に維持することができる。
なお，上記取付位置にあるヒンジピンの操作部は，上記固定板の表面側に位置しており，上記スライド穴の内壁に当接することによって上記固定板の裏面側に回動できないようになっている。そのため，ヒンジピンの操作部がスライド穴内に挿通された状態を容易に維持することができ，この操作部が，意図せず固定板の裏面側に回動してしまうことを防止するという効果も得られる。
【００１１】
そして，上記開閉扉を上記枠体との間で着脱する際には，上記固定板の表面側にある操作部を操作して，ヒンジピンを上記取付位置から上記着脱位置にスライドさせることができる。このとき，上記付勢手段は固定板の裏面側に配設されており，上記操作部を操作する際に付勢手段が操作の障害になることがない。
それ故，上記遊技機によれば，開閉扉へのヒンジ機構の配設作業が容易であり，また，付勢手段がスライド操作の障害にならず，ヒンジピンを容易にスライド操作させることができ，開閉扉を枠体との間で容易に着脱することができる。
【００１２】
【発明の実施の形態】
上述した本発明における好ましい実施の形態につき説明する。
本発明において，上記ヒンジピンは，上記開閉扉の上端部又は下端部のいずれか一方に設けることができる。そして，上記枠体には，ヒンジピンの軸部の先端部を回動可能に保持する回動保持穴を設けておく。
また，上記ヒンジピンを設けていない開閉扉の上端部又は下端部には，固定してスライドしない固定ヒンジピン又はこの固定ヒンジピンの先端部を回動可能に保持する回動保持穴のいずれか一方を設けることができる。
【００１３】
また，上記固定板の裏面側には，上記ヒンジピンの上記軸部を支持するための一対の支持部が立設形成されており，上記付勢手段はスプリングで構成し，該スプリングは，上記一対の支持部の間に配置されており，当該スプリングの内周側には上記軸部が挿通されていることが好ましい（請求項２）。
この場合には，上記スプリングは，上記一対の支持部及び上記ヒンジピンの軸部を利用して，上記固定板に配設することができる。そのため，スプリングを固定板に配設することが容易であり，かつヒンジピンを上記取付位置に付勢するスプリングの付勢力を容易に作用させることができる。
【００１４】
また，上記スライド穴には，上記取付位置にある上記ヒンジピンの上記操作部を挿通させて，当該ヒンジピンが上記着脱位置にスライドすることを防止するスライド防止穴が連通形成されていることが好ましい（請求項３）。
この場合には，上記開閉扉を上記枠体に取り付けた状態において，上記ヒンジピンを上記スライド防止穴に挿通させておくことにより，このヒンジピンを上記着脱位置にスライドさせることができなくなる。そのため，上記取付状態において，外部からの不正な操作によってヒンジピンが上記着脱位置にスライドさせられることを防止することができる。
【００１５】
また，上記枠体には，該枠体に対して上記開閉扉を閉じた際に，上記取付位置にある上記ヒンジピンの上記操作部が上記スライド防止穴から上記スライド穴に回動することを防止する回動防止部が形成されていることが好ましい（請求項４）。
この場合には，上記開閉扉を上記枠体に閉じた際には，上記ヒンジピンの操作部に枠体に設けた回動防止部が対向し，この回動防止部により，ヒンジピンの操作部を上記スライド防止穴から上記スライド穴に回動させることができなくなる。そのため，外部からの不正な操作によってヒンジピンが上記着脱位置にスライドさせられることを一層容易に防止することができる。
【００１６】
また，上記枠体は上記遊技機における外枠の前面側に配設した前枠であり，上記開閉扉は上記前枠の前面側に開閉可能に配設したガラス扉であることが好ましい（請求項５）。
この場合には，上記優れた作用効果を有するヒンジ機構を上記ガラス扉に形成して，このガラス扉を上記前枠との間で容易に着脱することができる遊技機を形成することができる。
【００１７】
【実施例】
以下に，図面を用いて本発明の遊技機にかかる実施例につき説明する。
（実施例１）
図１，図２に示すごとく，本例の遊技機はパチンコ遊技機１であり，パチンコ遊技機１は，枠体としての前枠２と，この前枠２に対してヒンジ機構４を介して開閉可能に取り付けてなる開閉扉としてのガラス扉３とを有してなる。
図１に示すごとく，上記ヒンジ機構４は，上記ガラス扉３に固定した固定板５と，この固定板５における上記ガラス扉３に対面する側である裏面側５０２に配設したスライド及び回動可能なヒンジピンとしてのスライドヒンジピン６とを有している。
【００１８】
図６，図７に示すごとく，本例のヒンジ機構４は，ガラス扉３の上端角部に配設されている。また，前枠２の上端角部には，上記スライドヒンジピン６を回動可能に保持する第１回動保持穴２１が形成されている。
また，ガラス扉３の下端角部及び前枠２の下端角部には，いずれか一方にスライドしない固定した固定ヒンジピン２２が設けられていると共に，他方に上記固定ヒンジピン２２を回動可能に保持する第２回動保持穴３１が形成されている。
【００１９】
図１，図３〜図５に示すごとく，上記スライドヒンジピン６は，上記ガラス扉３が開閉する際の開閉支点となる軸部６１と，この軸部６１から略直角に突出形成した操作部６２とを有している。また，スライドヒンジピン６は，上記軸部６１の軸方向において，前枠２に対してガラス扉３を開閉可能に取り付けるための取付位置６０１（図４参照）と，前枠２に対してガラス扉３を着脱可能にするための着脱位置６０２（図５参照）との間でスライド可能である。
【００２０】
図１，図４，図５に示すごとく，上記固定板５は，その裏面側５０２でスライドヒンジピン６を組み付けた後に，このスライドヒンジピン６の操作部６２をその軸部６１を中心に回動させて，上記裏面側５０２からその反対の表面側５０１へと通過させるためのピン通過穴５１を有している。また，固定板５は，ピン通過穴５１に連通形成し，上記操作部６２を上記表面側５０１に配置した状態で，スライドヒンジピン６を上記取付位置６０１と上記着脱位置６０２との間でスライド可能にするためのスライド穴５２とを有している。
【００２１】
図１，図３，図４に示すごとく，上記スライドヒンジピン６は，上記固定板５の裏面側５０２に配設した付勢手段としてのスプリング７によって上記取付位置６０１に付勢されている。
そして，図２に示すごとく，この取付位置６０１においては，上記操作部６２は，上記スライド穴５２の内壁５２１を操作部６２の回動軌跡Ｘの領域内に設けたことにより，上記固定板５の裏面側５０２に回動することが規制されている。
以下に，これを詳説する。
【００２２】
図２に示すごとく，本例のパチンコ遊技機１は，このパチンコ遊技機１における外枠２０と，この外枠２０の前面側に配設した上記前枠２と，この前枠２の前面側に開閉可能に配設した上記ガラス扉３とを有している。上記前枠２は，遊技領域を形成する遊技盤，パチンコ遊技を制御する各種制御装置及び各種電気部品を配設してなるものである。また，図６に示すごとく，上記ガラス扉３は，プラスチック製の枠部３５の内側にガラス板３６を配設してなるものである。
【００２３】
また，図６，図７に示すごとく，本例では，前枠２に上記固定ヒンジピン２２が設けてあり，ガラス扉３に上記第２回動保持穴３１が形成してある。そして，スライドヒンジピン６と第１回動保持穴２１との係合，固定ヒンジピン２２と第２回動保持穴３１との係合により，ガラス扉３の開閉支点を形成することができ，ガラス扉３を前枠２に開閉及び着脱可能に取り付けることができる。
【００２４】
なお，上記枠体と開閉扉とは，上記前枠２とガラス扉３とする以外にも，パチンコ遊技機１における種々の枠部材と，これに開閉及び着脱可能に取り付けてなる種々の扉部材とすることができる。例えば，上記枠体は前枠２とし，上記開閉扉は遊技球を貯留するために前枠２の前面側に配設した球皿とすることもできる。この場合には，例えば，上記ヒンジ機構４は，球皿の下端角部に設けることができる。
【００２５】
図２に示すごとく，本例のヒンジ機構４は，ガラス扉３を前枠２に閉じた状態において，ガラス扉３の後面側に配設されている。ここで，前面側とは，パチンコ遊技機１において遊技者に対向する側といい，後面側とは，前面側とは反対側のことをいう。
【００２６】
本例においては，図２，図３に示すごとく，上記スライドヒンジピン６は，上記固定板５に対してスライド可能であると共に回動可能に組み付けられている。また，固定板５は，ガラス扉３の面方向に略平行に配設されており，スライドヒンジピン６の軸部６１は，固定板５の面方向に沿って配設されている。
また，スライドヒンジピン６は，上記軸部６１に対して上記操作部６２を略直角に折り曲げることにより製作されている。
【００２７】
図３，図４に示すごとく，上記取付位置６０１においては，上記スライドヒンジピン６の軸部６１の先端部６１１は，上記ガラス扉３の上下方向の端部から突出した状態にある。そして，取付位置６０１においては，ガラス扉３の上下方向の端部から突出したスライドヒンジピン６の軸部６１の先端部６１１が，前枠２に形成した第１回動保持穴２１に回動可能に保持されている。
また，本例では，スライドヒンジピン６の軸部６１の先端部６１１は，後述する一対の支持部５４Ａ，Ｂのうちの突出側支持部５４Ａから突出した状態にあり，かつガラス扉３の上端角部から上方に突出した状態にある。
【００２８】
図３〜図５に示すごとく，上記スライドヒンジピン６は，上記スライド穴５２内を上下方向にスライドして，上記取付位置６０１と着脱位置６０２との間で移動する。そして，図５に示すごとく，スライドヒンジピン６を，取付位置６０１から着脱位置６０２にスライドさせたときには，スライドヒンジピン６の軸部６１の先端部６１１をガラス扉３内に引っ込めることができる。これにより，ガラス扉３を前枠２との間で着脱可能にすることができる。なお，着脱位置６０２においては，必ずしもスライドヒンジピン６の軸部６１の先端部６１１をガラス扉３内に引っ込めなくても，スライドヒンジピン６の軸部６１の先端部６１１がガラス扉３の上下方向の端部から突出する量を少なくすることによっても，ガラス扉３を前枠２との間で着脱可能にすることもできる。
【００２９】
なお，以下に，図３〜図５に示すごとく，上記スライドヒンジピン６を上記取付位置６０１にスライドさせる方向，すなわちスライドヒンジピン６の軸部６１の先端部６１１をガラス扉３の上下方向の端部から突出させる方向を突出方向Ｄ１ということがある。また，これとは逆に，スライドヒンジピン６を上記着脱位置６０２にスライドさせる方向，すなわちスライドヒンジピン６の軸部６１の先端部６１１をガラス扉３内に引っ込める方向を引込方向Ｄ２ということがある。
【００３０】
図１，図３に示すごとく，上記固定板５の裏面側５０２には，上記ヒンジピンの軸部６１を支持するための一対の支持部５４Ａ，Ｂが立設形成されている。そして，スライドヒンジピン６は，その軸部６１を一対の支持部５４Ａ，Ｂにそれぞれ形成した軸穴５４１に挿入して，固定板５の裏面側５０２にスライド可能に配設されている。また，上記スプリング７は，上記一対の支持部５４Ａ，Ｂの間に配置されており，このスプリング７の内周側には上記軸部６１が挿通されている。このように，スプリング７は，一対の支持部５４Ａ，Ｂ及びヒンジピンの軸部６１を利用して，固定板５に配設されている。
なお，上記一対の支持部５４Ａ，Ｂは，スライドヒンジピン６の軸部６１の先端部６１１の側に位置する一方を突出側支持部５４Ａといい，操作部６２の側に位置する他方を操作部側支持部５４Ｂという。
【００３１】
また，図３に示すごとく，本例のスプリング７は，圧縮バネであり，上記スライドヒンジピン６の軸部６１には，このスライドヒンジピン６を着脱位置６０２にスライドさせるときにスプリング７を圧縮させるための鍔部６１２が形成されている。本例では，図９，図１０に示すごとく，この鍔部６１２は，スライドヒンジピン６の軸部６１に形成した溝６１３に係合するＥリング６１２により形成している。また，鍔部６１２は，上記取付位置６０１にあるヒンジピンの軸部６１において，上記一対の支持部５４Ａ，Ｂの間において，上記突出側支持部５４Ａにできるだけ近い位置に形成されている。
また，上記スプリング７は，その内周側に上記軸部６１を挿通させた状態で，上記鍔部６１２と上記操作部側支持部５４Ｂとの間に配設されている。
【００３２】
そして，図５に示すごとく，上記スライドヒンジピン６は，その操作部６２を操作することにより，鍔部６１２と上記操作部側支持部５４Ｂとの間でスプリング７を圧縮させ，スプリング７の圧縮付勢力に抗して，取付位置６０１から着脱位置６０２へとスライドさせることができる。また，図４に示すごとく，スライドヒンジピン６は，着脱位置６０２にスライドさせた後に，その操作部６２を放すと，スプリング７の付勢力により元の取付位置６０１に戻ることができる。
【００３３】
図４，図５に示すごとく，上記固定板５におけるスライド穴５２は，上記スライドヒンジピン６が上下にスライドする方向に沿って形成されている。本例では，ヒンジ機構４をガラス扉３の上端角部に配設しており，上記スライド穴５２は，固定板５において，上記一対の支持部５４Ａ，Ｂを形成した位置よりも下方側に形成されており，上記ピン通過穴５１は，スライド穴５２の下方部分の左右のいずれか一方に連通形成されている。
【００３４】
なお，ヒンジ機構４をガラス扉３の下端角部に配設した場合には，上記スライド穴５２は，固定板５において，上記一対の支持部５４Ａ，Ｂを形成した位置よりも上方側に形成し，上記ピン通過穴５１は，スライド穴５２の上方部分の左右のいずれか一方に連通形成することができる。
【００３５】
また，図４に示すごとく，上記取付位置６０１にあるスライドヒンジピン６の操作部６２の外周面から上記スライド穴５２の上記引込方向Ｄ２の側の内壁５２２までの距離Ｌ１は，スライドヒンジピン６の軸部６１の先端部６１１が突出側支持部５４Ａから突出する長さと突出側支持部５４Ａの厚みとの合計寸法Ｌ２よりも短くなっている。これにより，図５に示すごとく，スライドヒンジピン６を取付位置６０１から着脱位置６０２にスライドさせたときに，スライドヒンジピン６の軸部６１の先端部６１１が突出側支持部５４Ａから抜けないようにすることができる。
【００３６】
また，図２に示すごとく，スライド穴５２の左右方向（横方向）の幅は，スライド穴５２の左右方向における一対の内壁５２１がスライド穴５２に挿通させた状態のスライドヒンジピン６の操作部６２を回動させたときの回動軌跡Ｘの領域内に位置するように決定している。これにより，スライド穴５２の左右方向における一対の内壁５２１は，取付位置６０１にあるスライドヒンジピン６の操作部６２が回動したときに当接するストッパー部５２１をそれぞれ形成している。そして，取付位置６０１にあるスライドヒンジピン６の操作部６２は，上記固定板５の表面側５０１から裏面側５０２には回動できなくなっている。
【００３７】
次に，上記スライドヒンジピン６及びスプリング７を上記固定板５に配設する方法につき説明する。
この配設の際には，スライドヒンジピン６及びスプリング７を固定板５の裏面側５０２において組み付ける。このとき，まず，図８に示すごとく，上記一対の支持部５４Ａ，Ｂの間に上記スプリング７を配置し，上記スライドヒンジピン６の軸部６１を，上記突出方向Ｄ１に向けて各支持部５４Ａ，Ｂの軸穴５４１及びスプリング７の内周側に挿通させる。そして，図９，図１０に示すごとく，この挿通を行った状態で，スプリング７を圧縮変形させながら，スライドヒンジピン６の軸部６１に形成した溝６１３にＥリング６１２を嵌め込む。
【００３８】
その後，図１０，図１１に示すごとく，スプリング７を圧縮変形させながら，スライドヒンジピン６の操作部６２を，上記引込方向Ｄ２にスライドさせた状態で上記固定板５に形成したピン通過穴５１を通過させ，固定板５の裏面側５０２から表面側５０１へと回動させる。そして，図１に示すごとく，作業者が操作部６２を放すと，スプリング７の復元力によって，スライドヒンジピン６が上記取付位置６０１に配置される。
【００３９】
このように，上記スライドヒンジピン６及びスプリング７は，固定板５の裏面側５０２において組み付け，その後，スライドヒンジピン６の操作部６２を裏面側５０２から表面側５０１に回動させる。そのため，固定板５へのヒンジピン及びスプリング７の配設が容易であり，上記ヒンジ機構４を容易に形成することができる。
【００４０】
また，ガラス扉３の枠部３５にヒンジ機構４を配設する際に，スライドヒンジピン６の操作部６２がスライド穴５２の内壁５２１に当接することによって，スライドヒンジピン６の操作部６２が意図せず固定板５の裏面側５０２に回動することを防止することができる。そのため，このスライドヒンジピン６及びスプリング７を固定板５に配設した状態のヒンジ機構４を，上記ガラス扉３の枠部３５に配設することが容易である。
【００４１】
次に，上記ガラス扉３を上記前枠２に取り付ける方法につき説明する。
この取付の際には，ガラス扉３の第２回動保持穴３１に前枠２の固定ヒンジピン２２を挿入すると共に，ガラス扉３におけるスライドヒンジピン６の軸部６１の先端部６１１を前枠２の第１回動保持穴２１に挿入する。
【００４２】
このとき，図５に示すごとく，作業者は，上記固定板５のスライド穴５２内に挿通配置されたスライドヒンジピン６の操作部６２を操作して，このスライドヒンジピン６を上記スプリング７による付勢力に抗して上記取付位置６０１から上記着脱位置６０２までスライドさせる。そして，作業者がスライドヒンジピン６の操作部６２を放したときには，図３に示すごとく，上記スプリング７の復元力により，スライドヒンジピン６は上記取付位置６０１に復帰する。
その後は，上記ガラス扉３は，上記スライドヒンジピン６及び固定ヒンジピン２２を回動中心にして回動可能になり，ガラス扉３を前枠２に対して開閉可能に取り付けることができる。
【００４３】
次に，上記パチンコ遊技機１における作用効果につき説明する。
上記のようにして，ガラス扉３を前枠２に取り付けた際には，スライドヒンジピン６が上記取付位置６０１に位置してガラス扉３が開閉可能な取付状態を形成する。このとき，スライドヒンジピン６は，スプリング７によって上記取付位置６０１に付勢されており，上記取付状態を容易に維持することができる。
【００４４】
また，上記取付位置６０１にあるスライドヒンジピン６の操作部６２は，上記固定板５の表面側５０１に位置しており，上記スライド穴５２の左右方向の内壁（ストッパー部）５２１に当接することによって固定板５の裏面側５０２に回動できないようになっている。そのため，スライドヒンジピン６の操作部６２がスライド穴５２内に挿通された状態を容易に維持することができ，この操作部６２が，意図せず固定板５の裏面側５０２に回動してしまうことを防止することができる。
【００４５】
そして，ガラス扉３を前枠２との間で着脱する際には，固定板５の表面側５０１にある操作部６２を操作して，スライドヒンジピン６を上記取付位置６０１から上記着脱位置６０２にスライドさせることができる。このとき，スプリング７は固定板５の裏面側５０２に配設されており，上記操作部６２を操作する際にスプリング７が操作の障害になることがない。
それ故，本例のパチンコ遊技機１によれば，スプリング７がスライド操作の障害にならず，スライドヒンジピン６を容易にスライド操作させることができ，ガラス扉３を前枠２との間で容易に着脱することができる。
【００４６】
（実施例２）
本例は，ガラス扉３を前枠２に対して閉じた際に，スライドヒンジピン６が外部からの不正な操作によって，上記取付位置６０１から着脱位置６０２にスライドさせられることを防止する例である。
すなわち，図１２に示すごとく，本例のスライド穴５２には，上記取付位置６０１にある上記スライドヒンジピン６の操作部６２を挿通させて，スライドヒンジピン６が上記着脱位置６０２にスライドすることを防止するスライド防止穴５３が連通形成されている。また，図１３に示すごとく，本例の前枠２には，ガラス扉３を前枠２に対して閉じた状態で，上記取付位置６０１にあるスライドヒンジピン６の操作部６２が上記スライド防止穴５３に維持されるように，スライドヒンジピン６の回動を防止する回動防止部２３が形成されている。
【００４７】
本例においては，スライドヒンジピン６の操作部６２をスライド防止穴５３に挿通させた状態で，ガラス扉３を前枠２に対して閉じることができる。そして，ガラス扉３を前枠２に対して閉じた状態においては，前枠２に設けた回動防止部２３がスライドヒンジピン６の操作部６２に対向する。そのため，回動防止部２３により，スライドヒンジピン６の操作部６２を上記スライド防止穴５３から上記スライド穴５２に回動させることができなくなる。
【００４８】
これにより，ガラス扉３を前枠２に閉じた際には，外部からの不正な操作によってスライドヒンジピン６を取付位置６０１から着脱位置６０２にスライドさせることをできなくすることができる。
本例においても，その他は上記実施例１と同様であり，実施例１と同様の作用効果を得ることができる。
【００４９】
（実施例３）
本例は，図１４，図１５に示すごとく，ガラス扉３の後面側３０１に，ヒンジ機構４におけるスライドヒンジピン６の操作部６２が回動することを防止する一対のガイド部３２を設けた例である。この一対のガイド部３２は，スライドヒンジピン６のスライド方向に沿って形成されている。そして，一対のガイド部３２は，ガラス扉３にヒンジ機構４を固定したときには，スライドヒンジピン６の操作部６２を左右両側から挟み込むことができる。
【００５０】
これにより，スライドヒンジピン６は，その操作部６２を常にガラス扉３に対して略直角に位置させた状態で上記取付位置６０１と着脱位置６０２との間でスライドさせることができる。そのため，本例によれば，操作部６２を操作して，スライドヒンジピン６をスライドさせることが容易になる。
本例においても，その他は上記実施例１と同様であり，実施例１と同様の作用効果を得ることができる。
【図面の簡単な説明】
【図１】実施例１における，パチンコ遊技機におけるヒンジ機構を示す斜視図。
【図２】実施例１における，ヒンジ機構を配設したガラス扉を前枠に閉じた状態の要部を上方から見た状態で示す上方断面図。
【図３】実施例１における，ヒンジ機構を配設したガラス扉を前枠に取り付けた状態の要部を側方から見た状態で示す側方断面図。
【図４】実施例１における，ヒンジ機構におけるスライドヒンジピンが固定位置にある状態のガラス扉の要部を後面側から見た状態で示す後面図。
【図５】実施例１における，ヒンジ機構におけるスライドヒンジピンを固定位置から着脱位置にスライドさせた状態のガラス扉の要部を後面側から見た状態で示す後面図。
【図６】実施例１における，ヒンジ機構を配設したガラス扉を後面側から見た状態で示す後面図。
【図７】
実施例１における，パチンコ遊技機を前面側から見た状態で示す前面図。
【図８】実施例１における，一対の支持部の軸穴及び付勢手段の内周側にスライドヒンジピンの軸部を挿通させる状態を示す斜視図。
【図９】実施例１における，一対の支持部の軸穴及び付勢手段の内周側に挿通したスライドヒンジピンの軸部における溝にＥリングを嵌め込む状態を示す斜視図。
【図１０】実施例１における，スライドヒンジピンの操作部を固定板の裏面側から表面側に回動させる状態を示す斜視図。
【図１１】実施例１における，スライドヒンジピンの操作部を固定板の裏面側から表面側に回動させた状態を示す斜視図。
【図１２】実施例２における，固定板のスライド穴に連通形成したスライド防止穴にスライドヒンジピンの操作部を挿通させた状態のガラス扉の要部を後面側から見た状態で示す後面図。
【図１３】実施例２における，ヒンジ機構を配設したガラス扉を前枠に閉じ，前枠の回動防止部をスライドヒンジピンの操作部に対向させた状態の要部を上方から見た状態で示す上方断面図。
【図１４】実施例３における，一対のガイド部を後面側に設けたガラス扉にヒンジ機構を配設した状態の要部を後面側から見た状態で示す後面図。
【図１５】実施例３における，一対のガイド部を後面側に設けたガラス扉にヒンジ機構を配設した状態の要部を側方から見た状態で示す側方断面図。
【符号の説明】
１．．．パチンコ遊技機，
２．．．前枠（枠体），
２３．．．回動防止部，
３．．．ガラス扉（開閉扉），
４．．．ヒンジ機構，
５．．．固定板，
５０１．．．表面側，
５０２．．．裏面側，
５１．．．ピン通過穴，
５２．．．スライド穴，
５２１．．．左右方向の内壁，
５３．．．スライド防止穴，
５４Ａ，Ｂ．．．支持部，
６．．．スライドヒンジピン，
６０１．．．取付位置，
６０２．．．着脱位置，
６１．．．軸部，
６１１．．．先端部，
６２．．．操作部，
７．．．スプリング（付勢手段），
Ｘ．．．回動軌跡，
【図１】
2005000379.tif 000003
【図２】
2005000379.tif 000004
【図３】
2005000379.tif 000005
【図４】
2005000379.tif 000006
【図５】
2005000379.tif 000007
【図６】
2005000379.tif 000008
【図７】
2005000379.tif 000009
【図８】
2005000379.tif 000010
【図９】
2005000379.tif 000011
【図１０】
2005000379.tif 000012
【図１１】
2005000379.tif 000013
【図１２】
2005000379.tif 000014
【図１３】
2005000379.tif 000015
【図１４】
2005000379.tif 000016
【図１５】
2005000379.tif 000017